(57)【要約】【課題】解体用工具を用いずに容易に解体可能で、再利用可能であり、材料の選定と設計が容易で、低コストに実施可能な係止具取付構造と係止具を提供する。【解決手段】貫通側１７で、係止具本体７と係止クリップ３を貫通側挟持部１９と貫通側突部１１とで係脱可能に係止させ、係止操作側９で、係止具本体７と係止クリップ３を操作側挟持部２１とクリップ本体１５とで係脱可能に係止させる。【選択図】図１
2010203461.tif 000002
【特許請求の範囲】
【請求項１】
被取付部材を保持する係止クリップと、前記係止クリップが取り付けられるパネルと、前記係止クリップを前記パネルに係止させる係止具本体とからなり、係止操作側からの操作力により係止クリップをパネルに取り付ける係止具取付構造であって、
前記係止クリップは、前記パネルに設けられた貫通孔を貫通する貫通側突部と、前記貫通孔に接するパネル挿通部と、前記係止操作側にあって前記被取付部材を保持するクリップ本体とを有し、
前記係止具本体は、前記パネルの貫通側で係止クリップの前記貫通側突部と係脱自在に係止する貫通側挟持部と、前記係止操作側で係止クリップの前記クリップ本体と係脱自在に係止する操作側挟持部と、前記両挟持部を連結する連結部とを有し、
パネルの前記貫通側で、係止具本体と係止クリップが貫通側挟持部と貫通側突部とで係止し、前記係止操作側で、係止具本体と係止クリップが操作側挟持部とクリップ本体とで係止することにより、係止クリップを介し前記被取付部材をパネルに固定することを特徴とする係止具取付構造。
【請求項２】
請求項１に記載された係止具取付構造であって、
係止クリップの前記貫通側突部と前記クリップ本体に、係止具本体の前記貫通側挟持部が係脱自在に係止する貫通側挟持部係止孔と、前記操作側挟持部が係脱自在に係止する操作側挟持部係止孔とがそれぞれ設けられており、
係止具本体と係止クリップとの前記係止が、貫通側挟持部とその係止孔及び操作側挟持部とその係止孔との間で行われることを特徴とする係止具取付構造。
【請求項３】
請求項１または請求項２に記載された係止具取付構造であって、
前記パネルに、係止クリップの前記貫通側突部が貫通すると共に、前記パネル挿通部が接する係止クリップ用貫通孔と、係止具本体の前記貫通側挟持部が貫通する係止具用貫通孔とが設けられていることを特徴とする係止具取付構造。
【請求項４】
請求項１〜請求項３のいずれかに記載された係止具取付構造であって、
係止具本体の前記操作側挟持部は、前記貫通側挟持部との間で係止クリップとパネルとを挟持すると共に、その際に係止クリップをパネルに押圧する押圧面と、クリップ本体の前記操作側挟持部係止孔に係止して、前記押圧面の押圧力を強化する可撓アームとが設けられており、
操作側挟持部が係止する前記操作側挟持部係止孔と前記可撓アームとの間には、操作側挟持部の係止外れを防止する係止外れ防止手段が設けられていることを特徴とする係止具取付構造。
【請求項５】
請求項４に記載された係止具取付構造であって、
前記係止外れ防止手段が、前記操作側挟持部係止孔に設けられた係止段差部と、可撓アームに設けられ、前記係止段差部と噛み合う係止突部とからなり、
前記可撓アームに、押圧力を加えて可撓アームを撓めることにより、前記係止段差部と前記係止突部の噛み合いを解除する押圧部が設けられていることを特徴とする係止具取付構造。
【請求項６】
被取付部材を保持する係止クリップと、前記係止クリップをパネルに係止させる係止具本体とからなり、係止操作側からの操作力により前記係止クリップをパネルに取り付けるための係止具であって、
前記係止クリップは、前記パネルに設けられた貫通孔を貫通する貫通側突部と、前記係止操作側にあって前記被取付部材を保持するクリップ本体とを有し、
前記係止具本体は、前記パネルの貫通側で前記貫通側突部と係脱自在に係止する貫通側挟持部と、前記係止操作側で前記クリップ本体と係脱自在に係止する操作側挟持部とを有し、
パネルの前記貫通側で、係止具本体と係止クリップが貫通側挟持部と貫通側突部とで係止し、前記係止操作側で、係止具本体と係止クリップが操作側挟持部とクリップ本体とで係止することにより、係止クリップを介し前記被取付部材をパネルに固定することを特徴とする係止具。
【発明の詳細な説明】
【技術分野】
【０００１】
本発明は、ワイヤーハーネスのような被取付部材を車体などのパネルに取り付ける係止具取付構造及び係止具に関する。
【背景技術】
【０００２】
特許文献１に「クリップ」が記載されている。
【０００３】
図９のように、このクリップ２０１はワイヤーハーネスＷを車体パネルＰに取り付けるためのものであり、弾性変形部２０３をパネルＰの取付孔Ｈに差し込むと弾性変形部２０３の撓み部２０５が弾性復帰し、その端部が取付孔Ｈの縁に係合して抜け止めされると共に、弾性変形部２０３と可撓性挟持部２０７が共に撓んで車体パネルＰを挟持することにより、クリップ２０１（ワイヤーハーネスＷ）が固定される。
【０００４】
また、ワイヤーハーネスＷを取り外す場合は、可撓性挟持部２０７に設けられた開口部２０９から押圧具Ｔを差し込み、撓み部２０５を撓めて取付孔Ｈとの係合を解除する。
【先行技術文献】
【特許文献】
【０００５】
【特許文献１】特開平１１−２６６５１８号公報
【発明の概要】
【発明が解決しようとする課題】
【０００６】
上記のクリップ２０１は易解体性（解体が容易であること）を謳ってはいるが、上記のように、解体時には押圧具Ｔを用いる必要がある上に、弾性変形部２０３と可撓性挟持部２０７には、可撓性に加えて、ワイヤーハーネスＷを保持するための充分な強度が求められる。
【０００７】
従って、材料の選択範囲が狭く、高価な材料を選択する必要があると共に、設計が困難であるから、材料コスト、設計コスト、解体工数などの上昇によって全体にコスト高になる。
【０００８】
そこで、この発明は、特別の解体用工具が不要であり、解体が極めて容易で、再利用可能であると共に、材料の選定と設計も容易であって低コストに実施できる係止具取付構造と係止具の提供を目的としている。
【課題を解決するための手段】
【０００９】
請求項１の係止具取付構造は、被取付部材を保持する係止クリップと、前記係止クリップが取り付けられるパネルと、前記係止クリップを前記パネルに係止させる係止具本体とからなり、係止操作側からの操作力により係止クリップをパネルに取り付ける係止具取付構造であって、前記係止クリップは、前記パネルに設けられた貫通孔を貫通する貫通側突部と、前記貫通孔に接するパネル挿通部と、前記係止操作側にあって前記被取付部材を保持するクリップ本体とを有し、前記係止具本体は、前記パネルの貫通側で係止クリップの前記貫通側突部と係脱自在に係止する貫通側挟持部と、前記係止操作側で係止クリップの前記クリップ本体と係脱自在に係止する操作側挟持部と、前記両挟持部を連結する連結部とを有し、パネルの前記貫通側で、係止具本体と係止クリップが貫通側挟持部と貫通側突部とで係止し、前記係止操作側で、係止具本体と係止クリップが操作側挟持部とクリップ本体とで係止することにより、係止クリップを介し前記被取付部材をパネルに固定することを特徴とする。
【００１０】
請求項２の発明は、請求項１に記載された係止具取付構造であって、係止クリップの前記貫通側突部と前記クリップ本体に、係止具本体の前記貫通側挟持部が係脱自在に係止する貫通側挟持部係止孔と、前記操作側挟持部が係脱自在に係止する操作側挟持部係止孔とがそれぞれ設けられており、係止具本体と係止クリップとの前記係止が、貫通側挟持部とその係止孔及び操作側挟持部とその係止孔との間で行われることを特徴とする。
【００１１】
請求項３の発明は、請求項１または請求項２に記載された係止具取付構造であって、前記パネルに、係止クリップの前記貫通側突部が貫通すると共に、前記パネル挿通部が接する係止クリップ用貫通孔と、係止具本体の前記貫通側挟持部が貫通する係止具用貫通孔とが設けられていることを特徴とする。
【００１２】
請求項４の発明は、請求項１〜請求項３のいずれかに記載された係止具取付構造であって、係止具本体の前記操作側挟持部は、前記貫通側挟持部との間で係止クリップとパネルとを挟持すると共に、その際に係止クリップをパネルに押圧する押圧面と、クリップ本体の前記操作側挟持部係止孔に係止して、前記押圧面の押圧力を強化する可撓アームとが設けられており、操作側挟持部が係止する前記操作側挟持部係止孔と前記可撓アームとの間には、操作側挟持部の係止外れを防止する係止外れ防止手段が設けられていることを特徴とする。
【００１３】
請求項５の発明は、請求項４に記載された係止具取付構造であって、前記係止外れ防止手段が、前記操作側挟持部係止孔に設けられた係止段差部と、可撓アームに設けられ、前記係止段差部と噛み合う係止突部とからなり、前記可撓アームに、押圧力を加えて可撓アームを撓めることにより、前記係止段差部と前記係止突部の噛み合いを解除する押圧部が設けられていることを特徴とする。
【００１４】
請求項６の係止具は、被取付部材を保持する係止クリップと、前記係止クリップをパネルに係止させる係止具本体とからなり、係止操作側からの操作力により前記係止クリップをパネルに取り付けるための係止具であって、前記係止クリップは、前記パネルに設けられた貫通孔を貫通する貫通側突部と、前記係止操作側にあって前記被取付部材を保持するクリップ本体とを有し、前記係止具本体は、前記パネルの貫通側で前記貫通側突部と係脱自在に係止する貫通側挟持部と、前記係止操作側で前記クリップ本体と係脱自在に係止する操作側挟持部とを有し、パネルの前記貫通側で、係止具本体と係止クリップが貫通側挟持部と貫通側突部とで係止し、前記係止操作側で、係止具本体と係止クリップが操作側挟持部とクリップ本体とで係止することにより、係止クリップを介し前記被取付部材をパネルに固定することを特徴とする。
【発明の効果】
【００１５】
請求項１の係止具取付構造は、パネルに対する操作側と貫通側の両方で、係止具本体と係止クリップをそれぞれ係脱自在に係止させることができる。
【００１６】
従って、特別の工具を用いずに極めて容易に解体し、再利用することができると共に、材料の選定と設計も容易であるから、それだけ低コストに実施できる。
【００１７】
請求項２の係止具取付構造は、係止クリップの貫通側突部とクリップ本体に設けた各係止孔と、係止具本体の貫通側挟持部と操作側挟持部とをそれぞれ係脱自在に係止させることにより、請求項１の構成と同等の効果が得られる。
【００１８】
請求項３の係止具取付構造は、パネルに係止クリップ用貫通孔と係止具用貫通孔を設けたので、例えば、係止クリップと係止具本体とを仮係止させれば、係止クリップの貫通側突部を係止クリップ用貫通孔に貫通させながら係止具本体の貫通側挟持部を係止具用貫通孔に貫通させる操作を一動作で容易に行うことができる。
【００１９】
なお、その後、係止具本体を係止クリップ側に移動操作すれば、操作側挟持部をクリップ本体の係止孔に係止させ、貫通側挟持部を貫通側突部の係止孔に係止させることができ、請求項１または請求項２の構成と同等の効果が得られる。
【００２０】
請求項４の係止具取付構造は、請求項１〜請求項３の構成と同等の効果が得られる。
【００２１】
また、係止具本体の操作側挟持部に設けられた押圧面がクリップ本体の当接部をパネルに押圧すると共に、操作側挟持部に設けられた可撓アームがクリップ本体の操作側挟持部係止孔と接触して撓むことにより押圧面の押圧力が強化されるから、係止クリップ（被取付部材）の固定機能が強化され、安定する。
【００２２】
また、可撓アームとクリップ本体の係止孔との間に設けられた係止外れ防止手段により、係止具本体（操作側挟持部：可撓アーム）と係止クリップ（クリップ本体）との係止外れが防止される。
【００２３】
請求項５の係止具取付構造は、係止外れ防止手段が、クリップ本体の操作側挟持部係止孔に設けられた係止段差部と可撓アームに設けられた係止突部とで構成されており、係止段差部と係止突部との噛み合いによって係止具本体と係止クリップとの係止外れが防止され、請求項４の構成と同等の効果が得られる。
【００２４】
また、可撓アームに設けられた押圧部を押圧操作すれば、可撓アームが撓み、係止段差部と係止突部との噛み合い（係止外れ防止機能）を容易に解除することができる。
【００２５】
請求項６の係止具は、被取付部材を保持する係止クリップと係止具本体とから構成されており、パネルに対する操作側と貫通側の両方で、係止具本体と係止クリップをそれぞれ係脱自在に係止させることができる。
【００２６】
従って、特別の工具を用いずに極めて容易に解体し、再利用することができると共に、材料の選定と設計も容易であるから、それだけ低コストに実施できる。
【図面の簡単な説明】
【００２７】
【図１】実施例１の係止具取付構造１を構成する係止クリップ３と係止具本体７とパネル５を示し、係止具５１を構成する係止クリップ３と係止具本体７を示す斜視図である。
【図２】係止クリップ３と係止具本体７をパネル５に取り付けた状態を示す図面である。
【図３】図２の状態の係止具取付構造１及び係止具５１を切断して示す斜視図である。
【図４】係止クリップ３と係止具本体７をパネル５に取り付ける際に、仮係止手段４９によって係止具本体７と係止クリップ３とを仮係止させた状態を示す断面図である。
【図５】仮係止手段４９によって仮係止させた状態で、係止具本体７と係止クリップ３をそれぞれパネル５の貫通孔３１，２９に貫通させる様子を示す断面図である。
【図６】係止具本体７と係止クリップ３をパネル５の貫通孔３１，２９に貫通させた後、係止具本体７の貫通側挟持部１９と操作側挟持部２１を係止クリップ３の貫通側挟持部係止孔２５と操作側挟持部係止孔２７にそれぞれ係止させる様子を示す断面図である。
【図７】係止具本体７の貫通側挟持部１９と操作側挟持部２１が係止クリップ３の貫通側挟持部係止孔２５と操作側挟持部係止孔２７にそれぞれ係止し、取り付け作業が終了した状態を示す断面図である。
【図８】実施例２の係止具取付構造１０１を構成する係止クリップ３と係止具本体７とパネル５を示し、係止具１０３を構成する係止クリップ３と係止具本体７を示す断面図である。
【図９】従来例の断面図である。
【発明を実施するための形態】
【００２８】
以下、本発明に係る係止具取付構造及び係止具の実施形態について説明する。
【実施例１】
【００２９】
図１〜図７によって係止具取付構造１と係止具５１（実施例１）の説明をする。以下、符号を与えていない部材等は図示されていない。
【００３０】
［係止具取付構造１と係止具５１の特徴］
係止具取付構造１は、被取付部材（例えば、ワイヤーハーネス）を保持する係止クリップ３と、係止クリップ３が取り付けられるパネル５と、係止クリップ３をパネル５に係止させる係止具本体７とからなり、係止操作側９から加えられる操作力により係止クリップ３をパネル５に取り付ける係止具取付構造１であって、係止クリップ３は、パネル５に設けられた貫通孔を貫通する貫通側突部１１と、前記貫通孔に接するパネル挿通部１３と、係止操作側９にあってワイヤーハーネスを保持するクリップ本体１５とを有し、ワイヤーハーネスは結束バンドによってクリップ本体１５に固定されている。また、係止具本体７は、パネル５の貫通側１７で貫通側突部１１と係脱自在に係止する貫通側挟持部１９と、係止操作側９でクリップ本体１５と係脱自在に係止する操作側挟持部２１と、両挟持部１９，２１を連結する連結部２３とを有し、貫通側１７で、係止具本体７と係止クリップ３とが貫通側挟持部１９と貫通側突部１１とで係止し、係止操作側９で、係止具本体７と係止クリップ３とが操作側挟持部２１とクリップ本体１５とで係止することにより、係止クリップ３を介しワイヤーハーネスをパネル５に固定するように構成されている。
【００３１】
また、係止クリップ３の貫通側突部１１及びクリップ本体１５には、係止具本体７の貫通側挟持部１９が係脱自在に係止する貫通側挟持部係止孔２５と、操作側挟持部２１が係脱自在に係止する操作側挟持部係止孔２７とが設けられており、係止具本体７と係止クリップ３との係止が、貫通側挟持部１９と係止孔２５及び操作側挟持部２１と係止孔２７との間で行われる。
【００３２】
また、パネル５の上記貫通孔は、係止クリップ３の貫通側突部１１が貫通すると共に、パネル挿通部１３を支持する係止クリップ用貫通孔２９と、係止具本体７の貫通側挟持部１９及び連結部２３が貫通する係止具用貫通孔３１とで構成されている。
【００３３】
また、係止具本体７の操作側挟持部２１は、貫通側挟持部１９との間で係止クリップ３とパネル５とを挟持し、その際に係止クリップ３をパネル５に押圧する押圧面３３と、クリップ本体１５の操作側挟持部係止孔２７に係止すると共に、押圧面３３の押圧力を強化する可撓アーム３５とが設けられており、操作側挟持部２１が係止する操作側挟持部係止孔２７と可撓アーム３５との間には、操作側挟持部２１の係止外れを防止する係止外れ防止手段３７が設けられている。
【００３４】
また、この係止外れ防止手段３７は、操作側挟持部係止孔２７に設けられた係止段差部３９と、可撓アーム３５に設けられた係止突部４１とからなり、係止段差部３９と係止突部４１は互いに噛み合って、係止具本体７と係止クリップ３との係止解除を防止する。
【００３５】
また、可撓アーム３５には押圧部４３が設けられており、押圧部４３を押圧すると可撓アーム３５が撓み、係止段差部３９と係止突部４１（係止外れ防止手段３７）の噛み合いを解除することができる。
【００３６】
また、係止具本体７の操作側挟持部２１には操作部４５が設けられており、操作部４５に操作力を加えることによって、係止具本体７と係止クリップ３とを係止させ、あるいは、係止を解除させることができる。
【００３７】
また、係止クリップ３（クリップ本体１５）には、係止具本体７の操作側挟持部２１と貫通側挟持部１９との間でパネル５に挟持される際に、パネル５に当接する当接部４７が設けられている。
【００３８】
また、係止具本体７の操作側挟持部２１とクリップ本体１５の操作側挟持部係止孔２７との間には、係止クリップ３の貫通側突部１１と係止具本体７の貫通側挟持部１９をパネル５の係止クリップ用貫通孔２９及び係止具用貫通孔３１に貫通させるに当たって、係止具本体７を係止クリップ３に仮係止させる仮係止手段４９（図４、図５）が設けられている。
【００３９】
係止具５１は、被取付部材（例えば、ワイヤーハーネス）を保持する係止クリップ３と、係止クリップ３をパネル５に係止させる係止具本体７とからなり、係止操作側９から加えられる操作力により係止クリップ３をパネル５に取り付けるための係止具５１であって、係止クリップ３は、パネル５を貫通する貫通側突部１１と、係止操作側９にあってワイヤーハーネスを保持するクリップ本体１５とを有し、係止具本体７は、パネル５の貫通側１７で貫通側突部１１と係脱自在に係止する貫通側挟持部１９と、係止操作側９でクリップ本体１５と係脱自在に係止する操作側挟持部２１とを有し、貫通側１７で、係止具本体７と係止クリップ３とが貫通側挟持部１９と貫通側突部１１とで係止し、係止操作側９で、係止具本体７と係止クリップ３とが操作側挟持部２１とクリップ本体１５とで係止することにより、係止クリップ３を介しワイヤーハーネスをパネル５に固定するように構成されている。
【００４０】
また、図４と図５のように、操作側挟持部２１の押圧面３３には多数の凹部５３が等間隔に設けられており、クリップ本体１５の操作側挟持部係止孔２７にはこの凹部５３と係合する凸部５５が設けられている。図４と図５のように、仮係止手段４９は、操作側挟持部２１の最先端側の凹部５３と、凸部５５とによって構成されている。
【００４１】
また、係止具本体７の貫通側挟持部１９と操作側挟持部２１を係止クリップ３の係止孔２５，２７に係止操作するに当たっては、凸部５５と各凹部５３とが係脱を繰り返すことによってクリック感が得られる。
【００４２】
また、係止クリップ３の貫通側突部１１の先端には、パネル５の係止クリップ用貫通孔２９を貫通させるときにガイドする傾斜面５７が設けられ、係止具本体７の貫通側挟持部１９の先端には、貫通側突部１１の貫通側挟持部係止孔２５に係止させるときにガイドする傾斜面５９が設けられ、可撓アーム３５には、操作側挟持部２１を操作側挟持部係止孔２７に係止させるとき、係止外れ防止手段３７の係止段差部３９と係止突部４１とが噛み合う前に、係止段差部３９に当たって可撓アーム３５を撓ませる傾斜面６１が設けられている。
【００４３】
以下、図４〜図７によって係止具取付構造１及び係止具５１の取り付け順序を説明する。下記のように、操作は全て係止操作側９で行われるが、貫通側挟持部１９と貫通側突部１１との係止は貫通側１７で行われる。
【００４４】
図４のように、取り付けの準備として、係止具本体７の操作側挟持部２１の最先端側凹部５３をクリップ本体１５の突部５５に係止させることにより、仮係止手段４９で係止具本体７を係止クリップ３に仮係止する。
【００４５】
次に、図５のように、仮係止した状態で、係止具本体７の貫通側挟持部１９と係止クリップ３の貫通側突部１１を、パネル５の係止具用貫通孔３１と係止クリップ用貫通孔２９にそれぞれ貫通させることにより、貫通側挟持部１９と貫通側突部１１を貫通側１７に移動させる。このとき、貫通側突部１１は傾斜面５７のガイド機能によって円滑に係止クリップ用貫通孔２９を貫通する。
【００４６】
次に、図６のように、係止具本体７の操作部４５を押し下げると、仮係止手段４９において凹部５３と突部５５の係止が解除され、係止具本体７が係止クリップ３側へ移動し、この移動中は、上記のようにクリップ本体１５の凸部５５と操作側挟持部２１の凹部５３とが係脱を繰り返してクリック感が得られる。また、貫通側挟持部１９は傾斜面５９によってクリップ本体１５の貫通側挟持部係止孔２５にガイドされる。
【００４７】
次に、図７のように、操作部４５をさらに押し下げると、貫通側挟持部１９が係止クリップ３（貫通側突部１１）の貫通側挟持部係止孔２５に係止し、操作側挟持部２１が操作側挟持部係止孔２７に係止すると共に、可撓アーム３５の傾斜面６１が係止段差部３９に当たって可撓アーム３５が撓んだ後、係止外れ防止手段３７の係止段差部３９と係止突部４１とが噛み合って係止具本体７の係止クリップ３からの抜け止めが行われる。
【００４８】
このように、パネル５を間にして係止具本体７と係止クリップ３とが係止すると、係止クリップ３がパネル５から抜け止めされ、ワイヤーハーネスがパネル５に強固に固定されると共に、係止具本体７の貫通側挟持部１９と操作側挟持部２１との挟持機能によって操作側挟持部２１の押圧面３３が係止クリップ３の当接部４７をパネル５に押圧し、係止クリップ３の支持を安定させ、支持強度を向上させる。
【００４９】
こうして、係止具取付構造１及び係止具５１の取り付けが終了する。
【００５０】
また、係止具取付構造１及び係止具５１の係止を解除する場合は、図７の状態から、先ず、押圧部４３を押圧し可撓アーム３５を撓ませて係止段差部３９と係止突部４１（係止外れ防止手段３７）の噛み合いを解除し、この状態で係止具本体７の操作部４５を引き上げると、貫通側挟持部１９と貫通側挟持部係止孔２５の係止と、操作側挟持部２１と操作側挟持部係止孔２７の係止が解除され、さらに、仮係止手段４９において凹部５３と突部５５が係止し、係止具本体７が係止クリップ３に仮係止されるから、この状態で係止クリップ３（ワイヤーハーネス）を係止操作側９に引けば、貫通側挟持部１９と貫通側突部１１を係止具用貫通孔３１と係止クリップ用貫通孔２９から引き抜くことができる。
【００５１】
こうして、係止クリップ３（ワイヤーハーネス）をパネル５から容易に取り外す（解体する）ことができると共に、係止クリップ３と係止具本体７は、取り付け作業と解体作業のいずれでも破損や変形が生じないから、何度でも再利用が可能である。
【００５２】
［係止具取付構造１と係止具５１の効果］
係止具取付構造１は、パネル５に対する操作側９と貫通側１７とで、係止クリップ３の係止孔２５，２７と係止具本体７の貫通側挟持部１９と操作側挟持部２１とをそれぞれ係脱自在に係止させることができるから、特別の工具を用いずに極めて容易に解体し、再利用することが可能であると共に、材料の選定と設計も容易であるからそれだけ低コストに実施できる。
【００５３】
また、パネル５に係止クリップ用貫通孔２９と係止具用貫通孔３１を設けたので、係止クリップ３と係止具本体７とを仮係止させれば、係止クリップ３の貫通側突部１１を係止クリップ用貫通孔２９に貫通させながら係止具本体７の貫通側挟持部１９を係止具用貫通孔３１に貫通させる操作を一動作で容易に行うことができる。
【００５４】
また、係止具本体７の操作側挟持部２１に設けられた押圧面３３が係止クリップ３の当接部４７をパネル５に押圧すると共に、可撓アーム３５がクリップ本体１５の操作側挟持部係止孔２７と接触して撓むことにより押圧面３３の押圧力が強化されるから、上記のように、係止クリップ３（ワイヤーハーネス）の固定機能が安定し、強化される。
【００５５】
また、係止具本体７の可撓アーム３５と係止クリップ３の操作側挟持部係止孔２７との間に設けられた係止外れ防止手段４９によって、係止具本体７と係止クリップ３の係止外れが防止され、係止状態に保たれる。
【００５６】
また、可撓アーム３５に設けられた押圧部４３を押圧操作して可撓アーム３５を撓ませれば、係止外れ防止手段４９の機能を容易に解除することができる。
【００５７】
また、係止具本体７の操作側挟持部２１に設けた操作部４５に操作力を加える（押し下げ、あるいは、引き上げる）ことで、係止具本体７と係止クリップ３との係止と、係止解除を容易に行える。
【００５８】
また、係止具本体７の貫通側挟持部１９と操作側挟持部２１の挟持力によって係止クリップ３の当接部４７がパネル５に押圧されるから、係止クリップ３（ワイヤーハーネス）の支持が安定し、支持強度が向上する。
【００５９】
また、仮係止手段４９によって係止具本体７と係止クリップ３とを仮係止させることができるから、上記のように、係止クリップ３の貫通側突部１１と係止具本体７の貫通側挟持部１９をパネル５の係止クリップ用貫通孔２９及び係止具用貫通孔３１にそれぞれ貫通させる作業を一動作で容易に行うことができる。
【００６０】
係止具５１は、係止具取付構造１と同等の効果が得られる。
【００６１】
また、係止具取付構造１と係止具５１は、取り付け工程を逆に辿れば容易に解体することが可能であり、何度でも再利用可能である。
【実施例２】
【００６２】
図８によって係止具取付構造１０１と係止具１０３（実施例２）の説明をする。以下、実施例１と同一の機能部及び機能部材には同一の符号を付して説明し、重複する説明文は省略する。
【００６３】
この係止具取付構造１０１及び係止具１０３は、実施例１の係止具取付構造１及び係止具５１において、クリップ本体１５（係止クリップ３）から当接部４７の部分をカットしたものに相当する。また、当接部４７をカットしても、操作側挟持部係止孔２７の両サイドの部分１０５（図１）が係止具本体７の貫通側挟持部１９と操作側挟持部２１の挟持力によってパネル５に押圧されるから、係止クリップ３（ワイヤーハーネス）は安定して強固に固定される。
【００６４】
また、当接部４７をカットしたことに伴って、係止クリップ３がその材料低減分だけ軽量化され、コストが低減される。
【００６５】
また、係止クリップ３（当接部４７）の短縮分だけワイヤーハーネスがパネル５に近くなるから、ワイヤーハーネスの配置スペースが狭くてすみ、周囲のスペースにそれだけの余裕が生じると共に、ワイヤーハーネスを介して係止クリップ３（短縮されたクリップ本体１５）に外力が掛かった場合の耐久性が向上する。
【００６６】
これに加えて、係止具取付構造１０１と係止具１０３は、上記の効果を除き、係止具取付構造１及び係止具５１と同等の効果が得られる。
【００６７】
［本発明の範囲に含まれる他の態様］
なお、本発明の係止具取付構造と係止具は、ワイヤーハーネスに限らず、他の被取付部材をパネルに取り付けることができる。
【符号の説明】
【００６８】
１  係止具取付構造
３  係止クリップ
５  パネル
７  係止具本体
９  係止操作側
１１  係止クリップ３の貫通側突部
１３  係止クリップ３のパネル挿通部
１５  係止クリップ３のクリップ本体
１７  貫通側
１９  係止具本体７の貫通側挟持部
２１  係止具本体７の操作側挟持部
２３  挟持部１９，２１の連結部
２５  貫通側突部１１の貫通側挟持部係止孔
２７  クリップ本体１５の操作側挟持部係止孔
２９  パネル５の係止クリップ用貫通孔
３１  パネル５の係止具用貫通孔
３３  操作側挟持部２１の押圧面
３５  操作側挟持部２１の可撓アーム
３７  係止外れ防止手段
３９  クリップ本体１５の係止段差部（係止外れ防止手段）
４１  可撓アーム３５の係止突部（係止外れ防止手段）
４３  可撓アーム３５の押圧部
４５  操作側挟持部２１の操作部
４７  係止クリップ３の当接部
４９  仮係止手段
５１  係止具
１０１  係止具取付構造
１０３  係止具
【図１】
2010203461.tif 000003
【図２】
2010203461.tif 000004
【図３】
2010203461.tif 000005
【図４】
2010203461.tif 000006
【図５】
2010203461.tif 000007
【図６】
2010203461.tif 000008
【図７】
2010203461.tif 000009
【図８】
2010203461.tif 000010
【図９】
2010203461.tif 000011